(57)【要約】【課題】固定されたコネクタと記憶装置の接続部との接続を担保し、かつコネクタと記憶装置との着脱作業を容易とする。【解決手段】  記憶装置ＨＤｂを収納する収納体３ｂを、基台２１上に、ガイドレール３１を介して移動自在に載置し、弾性部材を介して支持板２２は支持部材４ｂを支持する。記憶装置ＨＤｂを支持部材４ｂのコネクタ８ｂに向けて押し込み接続し、さらに押し込むことにより、弾性部材は変形し、その復元力によって、コネクタ８ｂは、記憶装置ＨＤｂへ向けて常時付勢された状態となる。【選択図】図１
2005129177.tif 000002
【特許請求の範囲】
【請求項１】
記憶装置を固定した状態で収納する収納体と、
前記収納体に固定された記憶装置の接続端子に接続されるコネクタと、
前記コネクタを支持する支持部材と、
前記支持部材と収納体とを支持する本体と、
前記支持部材を本体側に支持するとともに、前記支持部材と前記本体との間に介在し、
前記支持部材を介して前記コネクタを記憶装置の接続端子の方向へ付勢する弾性部材を有
する付勢支持機構と、
前記収納体と支持部材との相対位置が、接続端子からコネクタが離れている離脱位置と
、接続端子がコネクタと接続された状態で弾性部材が変形し、弾性部材の復元力によって
コネクタが接続方向に付勢されている接続位置とに変更し得る相対位置変更手段とを有す
ることを特徴とする記憶装置の接続装置。
【請求項２】
前記相対位置変更手段は、前記本体上に設けられ、前記収納体を往復
動可能に案内する軌道を有する案内手段と、前記収納体を接続位置で固定するロック状態
と収納体を移動可能とする解除状態とに切り換える固定手段とを有する請求項１に記載の
記憶装置の接続装置。
【請求項３】
前記支持部材は、前記収納体が接続位置にある状態において、圧縮さ
れた弾性部材と記憶装置に接続されているコネクタとに挟まれた状態となっている請求項
１又は２に記載の記憶装置の接続装置。
【請求項４】
前記案内手段の軌道は、前記コネクタと接続端子の挿脱方向に沿って
設けられ、前記コネクタは、前記収納体内に固定された記憶装置の接続端子の位置に対向
する位置に設けられている請求項２又は３に記載の記憶装置の接続装置。
【請求項５】
同一の本体上に、前記収納体と前記コネクタを支持する前記支持部材
の対が、複数対設けられている請求項１〜4のいずれか１に記載の記憶装置の接続装置。
【請求項６】
記憶装置は、回転する記憶媒体と、記憶媒体を回転させる駆動装置を
有する請求項１〜５のいずれか１に記載の記憶装置の接続装置。
【発明の詳細な説明】
【技術分野】
【０００１】
この発明は、ハードディスクドライブ装置に代表される記憶装置の接続装置にかかり、
詳しくは、接続端子の接続を固定する接続装置に関するものである。
【背景技術】
【０００２】
従来、例えば、サーバーやパーソナルコンピュータなどのコンピュータシステムでは、
ハードディスク、ＭＯ（Magneto-Optical disk）、ＣＤ−ＲＯＭ（Compact Disc
-ROM）などの記録媒体に、データやオペーレーションシステムなどを構成するソフト
等がデジタル化されたデータとして記憶されている。
【０００３】
近年、これらの記憶媒体は、記憶容量が増大し、例えばハードディスクドライブ装置で
は、８０メガバイト以上の記憶容量を有するものがある。このような新しい型の装置は、
接続端子の構成も改良されている。従来のハードディスクドライブ装置の接続端子は、電
源端子と、データ送受信用の端子に別れており、端子とコネクタとの接合強度が十分強く
、一旦接続すると容易に離脱しない構成となっていた。
【０００４】
一方、ハードディスクドライブ装置等の記憶装置から他の記憶装置に、記憶されている
データを複写する複写装置が知られている。この複写装置は、複写元記録媒体の記録領域
から、物理的に規定された領域を順に読み取り、複写先記録媒体の記録領域において、複
写元記録媒体に記録されていた位置と同じ物理的位置にデータを複写する、いわゆるミラ
ーコピーと呼ばれる複写方法により、複写が行われている。 
このような複写装置には、例えば以下に示す先行文献が存在する。
【特許文献１】特開平１０−７４３８４号（段落番号００１１〜００３４、図１〜図７）。
【発明の開示】
【発明が解決しようとする課題】
【０００５】
近年記憶装置の記憶容量が増大する一方、ハードディスクドライブ装置の構成も改良さ
れ、接続端子部分は、接続強度が弱いエッジタイプの端子となっており、フラットケーブ
ルの装着や取り外しが容易となる構成に改良されている。このようなフラットケーブルは
、パーソナルコンピュータ内に装填されているハードディスクドライブ装置への接続には
便利であり、パーソナルコンピュータの組み立て労力を軽減するものである。
【０００６】
しかし、台上にハードディスクドライブ装置を複数並べ、これらを同時に駆動させる上
記複写装置においては、次のような問題がある。ハードディスクドライブ装置を駆動させ
ると、振動が発生する。台上に設けられているハードディスクドライブ装置は、この振動
によって動き、台上に固定されているコネクタと端子の接続が外れてしまう問題があった
。また、複数のハードディスクドライブ装置を配置する構成では、振動が隣接するハード
ディスクドライブ装置に伝わって、騒音が発生する。さらに、ハードディスクドライブ装
置が複数配置されているので、振動源が複数となり、振動が増幅され、ハードディスクド
ライブ装置自体に悪影響を及ぼすなどの問題があった。
【０００７】
エッジタイプ以外の端子には、端子としてピンが用いられているものがある。このよう
なピンを用いた方式の端子では、一方が複数のピンを備え（オス型）、他方がピンを収納
する孔がピン毎に備え（メス型）られている。このタイプの接続端子を接続する場合、オ
ス型のピンが、対応するメス型の孔に納まるように、オス型とメス型の位置を正確に合わ
せて接続する必要がある。この位置が正確でないと、接続する際にピンが孔に納まらず、
ピンが変形し、或は破損するなどのトラブルが発生する。特に、小型のハードディスクド
ライブ装置では、接続端子部分が小さく、ピンのサイズも細くなるため、より一層繊細な
操作が必要とされ、接続作業の能率が下がるという問題がある。
【０００８】
この発明の目的は、固定されたコネクタと記憶装置の接続部との接続を担保し、かつコ
ネクタと記憶装置との着脱作業を容易とする記憶装置の接続装置を提供することにある。
【課題を解決するための手段】
【０００９】
以上のような問題を解決する本発明は、以下のような構成を有する。 
（１）  記憶装置を固定した状態で収納する収納体と、
前記収納体に固定された記憶装置の接続端子に接続されるコネクタと、
前記コネクタを支持する支持部材と、
前記支持部材と収納体とを支持する本体と、
前記支持部材を本体側に支持するとともに、前記支持部材と前記本体との間に介在し、
前記支持部材を介して前記コネクタを記憶装置の接続端子の方向へ付勢する弾性部材を有
する付勢支持機構と、
前記収納体と支持部材との相対位置が、接続端子からコネクタが離れている離脱位置と
、接続端子がコネクタと接続された状態で弾性部材が変形し、弾性部材の復元力によって
コネクタが接続方向に付勢されている接続位置とに変更し得る相対位置変更手段とを有す
ることを特徴とする記憶装置の接続装置。
【００１０】
（２）  前記相対位置変更手段は、前記本体上に設けられ、前記収納体を往復動可能に
案内する軌道を有する案内手段と、前記収納体を、軌道上の接続位置で固定するロック状
態と、収納体を移動可能とする解除状態とに切り換える固定手段とを有する上記（１）に
記載の記憶装置の接続装置。
【００１１】
（３）  前記支持部材は、前記収納体が接続位置にある状態において、圧縮された弾性
部材と記憶装置に接続されているコネクタとに挟まれた状態となっている上記（１）又は
（２）に記載の記憶装置の接続装置。
【００１２】
（４）  前記案内手段の軌道は、前記コネクタと接続端子の挿脱方向に沿って設けられ
、前記コネクタは、前記収納体内に固定された記憶装置の接続端子の位置に対向する位置
に設けられている上記（２）又は（３）に記載の記憶装置の接続装置。
【００１３】
（５）  同一の本体上に、前記収納体と前記コネクタを支持する前記支持部材の対が、
複数対設けられている上記（１）〜（４）のいずれか１に記載の記憶装置の接続装置。
【００１４】
（６）  記憶装置は、回転する記憶媒体と、記憶媒体を回転させる駆動装置を有する上
記（１）〜（５）のいずれか１に記載の記憶装置の接続装置。
【発明の効果】
【００１５】
請求項１に記載の発明によれば、収納体だ固定された記憶装置に対して、接続されたコ
ネクタが接続方向に付勢されているので、記憶装置とコネクタとの接続が外れることなく
、物理的接続が確実に確保され、ひいては電気的な接続も確保される。
【００１６】
請求項２に記載の発明によれば、記憶装置は、収納体と一体となり、軌道に案内されな
がら移動するので、弾性部材の復元力に抗して記憶装置を押し込む際、軌道の案内方向に
以外の動きは規制されるので、記憶装置の姿勢が安定し、接続作業が容易となる。また、
押し込んだ状態で収納体の位置を固定する固定手段は、軌道上の１方向のみ（例えば、後
進方向のみ）を規制する構成で済むため、ロック機構をより簡易なものとすることができ
る。
【００１７】
請求項３に記載の発明によれば、支持部材は、収納体が接続位置にある状態において、
圧縮された弾性部材と記憶装置に接続されているコネクタとに挟まれた状態となっており
、本体と直接接触していないため、記憶装置の振動が本体に伝達されことが抑制される。
【００１８】
請求項４に記載の発明によれば、軌道は、コネクタと接続端子の挿脱方向に沿って設け
られ、前記コネクタは、前記収納体内に固定された記憶装置の接続端子の位置に対向する
位置に設けられているため、コネクタと記憶装置とを接続し、或は取り外す際の記憶装置
の移動方向を規制できる。このため、コネクタの接続や取り外しの際に、コネクタと記憶
装置の接続位置のズレによって、端子同士が噛み合わずに破損するといったトラブルが防
止できる。特に、小型の記憶装置では、接続口が小さく、端子部分の強度も弱いため、軌
道を設ける構成は特に好ましい。
【００１９】
請求項５に記載の発明によれば、同一の本体上に、前記収納体と前記コネクタを支持す
る前記支持部材の対が、複数対設けられた接続装置の場合には、複数のハードディスクド
ライブ装置の振動が、隣接するハードディスクドライブ装置に伝達されることが抑制され
るので、共振や騒音の発生が防がれる。
【００２０】
請求項６に記載の発明によれば、記憶装置が、回転する記憶媒体と、記憶媒体を回転さ
せる駆動装置を有する構成の場合には、駆動装置の駆動時に発生する振動が特に多いため
、振動の伝達が抑制される本発明の接続装置は、特に有用である。
【発明を実施するための最良の形態】
【００２１】
以下本発明の好適実施形態について添付図面に基づいて詳細に説明する。図１は、本発
明の記憶装置の接続装置１を示す全体斜視図である。接続装置１は、基台２と、複数の収
納体３ａ、３ｂ、３ｃと、支持部材４ａ、４ｂ、４ｃを備えている。 
基台２は、台座２１と、台座２１の背面端部に立設された支持板２２と、台座２１の下
側に設けられた固定手段５ａ、５ｂ、５ｃを有している。台座２１は、箱状に形成され、
台座２１の上面２１１には、複数の収納体３ａ、３ｂ、３ｃが配置され、台座２１の内部
には、各収納体３ａ、３ｂ、３ｃに対応する位置に固定手段５ａ、５ｂ、５ｃがそれぞれ
設けられている。
【００２２】
台座２１の背面端部に立設された支持板２２において、各収納体３ａ、３ｂ、３ｃに対
応する位置には、窓２２１ａ、２２１ｂ、２２１ｃが形成されている。 
台座２１上には、複数の収納体３ａ、３ｂ、３ｃが配置されている。台座２１の上面２
１１と各収納体３ａ、３ｂ、３ｃとの間には、案内手段として、一対のガイドレール３１
、３１が平行に配置されている。ガイドレール３１、３１は、それぞれ一対の外レール３
１１と、外レール３１１の内側に収納された内レール３１２から構成されている。外レー
ル３１１と内レール３１２の間には球が介挿されており、相互に軸線方向に移動できる構
成となっている。外レール３１１は、台座２１の表面２１１上に固定され、内レール３１
２は、収納体３の底面に固定されている。ガイドレール３１の軸方向に収納体３ａ、３ｂ
、３ｃが往復動する。
【００２３】
次に、収納体３ａ、３ｂ、３ｃの構成について説明する。各収納体３ａ、３ｂ、３ｃは
同じ構成であり、相互に平行に、また等間隔で配置されている。以下収納体３ｃの構成に
ついて説明し、他の収納体３ａ、３ｂについては構成が同じであるため、その説明を省略
する。
【００２４】
図２に示されているように、収納体３ｃは、下面に一対の内レール３１２、３１２が平
行に固定された移動台３２と、移動台３２上には、ハードディスクドライブ装置ＨＤｂが
載置される。移動台３２において、その正面側には、当接部材３３が立設され、当接部材
３３に対向する背面側端（支持壁２２側）には、背面部材３４が立設されている。そして
、背面部材３４には、切り欠き３４１が形成されている。切り欠き３４１は、移動台３２
ｂに収納されるハードディスクドライブ装置ＨＤｃの接続端子５１に対応する位置に形成
されている。
【００２５】
移動台３２の両側側端には、側板３５、３５が設けられ、側板３５、３５の内側には、
移動台３２の底面上に緩衝部材３６、３６が、それぞれ配置されている。ハードディスク
ドライブ装置ＨＤは、この緩衝部材３６、３６を介して移動台３２上に載置される。側板
３５、３５には、相互に対向する位置に凹部３５１、３５１が形成されている。この凹部
３５１、３５１は、移動台３２に載置されているハードディスクドライブ装置ＨＤの側面
の露出を多くし、ハードディスクドライブ装置ＨＤを両側から指で挟んで持ち上げること
を容易とするために設けられている。これによって、ハードディスクドライブ装置ＨＤの
交換が一層容易となる。
【００２６】
移動台３２の下側底面には、下方に向けて突出した連結部材３７が固定され、連結部材
３７は、基台２１の下側において、固定手段５ｂに連結されている。 
この固定手段５ｂによって、案内手段上における収納体３ｂの位置が決められる。図３
に示されているように、固定手段５ｂは、連結部材３７に固定された挿脱ロッド５１と、
閉じ状態と、開き状態に切り替わる一対のフック５２、５２と、一対のフック５２、５２
を閉じ状態と、開き状態に切り替えるロック機構５３とを備えている。連結部材３７と台
座２１との間には、スプリング３７１が引設され、連結部材３７は、ロック機構５３から
離れる方向へ付勢されている。
【００２７】
挿脱ロッド５１は、ガイドレール３１に平行に、かつ、先端をフック５２、５２の間へ
向けた状態で固定されている。挿脱ロッド５１の先端は、球形の係合部５１１となってお
り、フック５２、５２に挟まれた状態で、係合部５１１がフック５２、５２の間に収納さ
れ固定される状態（図２における想像線で示されている状態）となる。フック５２、５２
の先端には、横断面が半円形状の溝５２１がそれぞれ形成されており、フック５２、５２
の先端が突き合わされた固定状態では、溝５２１によって孔が形成され、この孔内に挿脱
ロッド５１が収められる。溝５２１、５２１で構成された孔の径よりも、係合部５１１の
径が大きくなっており、固定状態では、挿脱ロッド５１が抜け出ないように構成されてい
る。
【００２８】
一方、フック５２、５２は、ロック機構５３において開閉自在に支持されている。ロッ
ク機構５３は、一対のフック５２、５２を内部に収納して、係合部５１１を固定する状態
と、フック５２、５２を外部に押し出し、左右に開放した解除状態とに、フック５２、５
２の状態を切り換える機構である。そして、フック５２、５２の間には進退部材５３１が
備えられている。進退部材５３１は、挿脱ロッド５１の軸線上に位置し、同軸上で進退移
動可能に設けられ、挿脱ロッド５１の方向に常時付勢されている。
【００２９】
進退部材５３１をロック機構５３の奥へ押し込むことで、フック５２、５２が閉じられ
、最も奥へ押し込まれた位置（切換位置）で固定状態へ切り換わり、若干距離、押し戻さ
れた位置（フック５２、５２の先端内側に係合部５１１が押し付けられた位置）で固定さ
れる。固定を解除するときは、挿脱ロッド５１を進退部材５３１の方向へ押し込み切換位
置まで到達させ、ロック機構５３を解除状態へ切り換える。これにより、フック５２、５
２のロックは解除され、進退部材５３１の移動とともに、フック５２、５２は、ロック機
構５３の外側へ移動しながら開かれる。この際、挿脱ロッド５１は、スプリング３７１の
張力によって、初期位置に引き戻される。
【００３０】
次に、支持部材４ａ、４ｂ、４ｃの付勢支持機構について説明する。図４は、支持板２
２の背面側に設けられた付勢支持機構９の分解斜視図、図５は同じく全体斜視図である。
支持板２２に形成された窓２２１ａ、２２１ｂ、２２１ｃには、それぞれ支持部材４ａ、
４ｂ、４ｃが嵌め込まれている。各支持部材４１ａ、４１ｂ、４１ｃの背面側には、背面
側から正面側へ各各支持部材４１ａ、４１ｂ、４１ｃを付勢しつつ支えている付勢支持機
構９が設けられている。そして、各支持部材４１ａ、４１ｂ、４１ｃには、コネクタ８ａ
、８ｂ、８ｃが保持されている。
【００３１】
以下、各支持部材４ａ、４ｂ、４ｃの各構成は同一であるので、支持部材４ｂについて
説明し、他の支持部材４ａ、４ｃについては詳しい説明を省略する。支持部材４１ｂは、
コネクタ８ｂを支持する支持部４１と、支持部４１の上下端部に設けられた押接部４２１
、４２２と、支持部４１に形成された支持孔４１１とを備えている。押接部４２１、４２
２は、支持部４１の上下端から背面側に張り出した板片の背面側端部を外側に（上下方向
に）張り出して形成された張り出し部分となっている。
【００３２】
図４及び図６に示されているように、支持部４１に形成されている支持孔４１１には、
切欠部４１２が形成されている。コネクタ８ｂの両側面には、突起８２が１対づつ形成さ
れており、コネクタ８ｂを支持孔４１１に装着する際には、突起８２を切欠部４１２に通
して支持孔４１１の正面側に押し出し、図７に示されているように、段部８４が支持部４
１に当たる位置までコネクタ８ｂを押し出す。次に、支持孔４１１に対してコネクタ８ｂ
を横方向に相対移動させる。これにより、突起８２が切欠部４１２の形成位置から外れ、
支持孔４１１の端に突起８２が引っ掛かる位置に移動し、支持部４１は、段部８４と突起
８２との間に挟まれ、コネクタ８ｂが支持孔４１１から外れない構成となる。コネクタ８
ｂと支持孔４１１との相対移動で生じる隙間４３には、コネクタ８ｂの端部に設けられた
係止部材（図示しない）が係合し、コネクタ８ｂは支持孔４１１内に固定される。
【００３３】
支持部材４ｂは、支持孔４１１にコネクタ8ｂを保持することによって、内側にコネク
タ８ｂを収納した状態となり、コネクタ８ｂと一体化される。このような支持部材４ｂは
、窓２２１ｂ内に背面側から正面へ向けて挿入され、支持部４１が正面側に突出した状態
で、付勢支持機構９によって、支持板２２に取り付けられる。
【００３４】
付勢支持機構９は、支持板２２の背面側において、窓２２１の位置にそれぞれ設けられ
たカバー６と、カバー６内に収納された４つの弾性部材７１、７２、７３、７４とを備え
ている。カバー６は、箱状に形成され、背面の略中央部分には、窓２２１に対向する位置
に開口部６３が形成されており、開口部６３の両側には、弾性部材７１、７２、７３、７
４を内側に収納保持する保持部６２１、６２２が設けられている。弾性部材７１、７２、
７３、７４は、カバー６の内側四隅に配置される。カバー６において、支持板２２に対向
する側は開放されており、この開放部の内側に支持部材４の押接部４２１、４２２が収納
される。この開放部の外縁には、保持部６２１、６２２に対応する位置に外側に張り出し
た取付部６４１、６４２がそれぞれ設けられている。取付部６４１、６４２には、ボルト
がそれぞれ挿通し、このボルトによってカバー６が支持板２２に締着固定される。
【００３５】
図７は、付勢支持構造９の断面図である。弾性部材７１、７２は、支持部材４ｂの押接
部４２１と保持部６２１の背面側板の間において、若干圧縮された状態で位置しており、
圧縮された弾性部材７１、７２の復元力によって、押接部４２１は、支持板２２の背面に
押し付けられた状態で保持されている。
【００３６】
同様に、弾性部材７３、７４は、支持部材４ｂの押接部４２２と保持部６２２の背面側
板の間において、若干圧縮された状態で位置しており、圧縮された弾性部材７３、７４の
復元力によって、押接部４２２は、支持板２２の背面に押し付けられた状態で保持されて
いる。
【００３７】
以上のように構成された付勢支持構造９の作用について説明する。収納体３ｂの移動台
３２内にハードディスクドライブ装置ＨＤｂを載置する。ハードディスクドライブ装置Ｈ
Ｄｂの接続口は、移動台３２上に載置された時点で、コネクタ８ｂの接続口８３に対向し
た位置となるように、移動台３２の大きさ及び形状が構成されている。そして、ハードデ
ィスクドライブ装置ＨＤｂの接続口は、切り欠き３４１を介して露出し、コネクタ８ｂに
対向する。
【００３８】
ガイドレール３１は、コネクタ８ｂの接続口８３の接続方向に沿って、平行に配置され
ており、ハードディスクドライブ装置ＨＤｂを移動台３２と一体として、ガイドレール３
１上を移動させ、支持部材４ｂへ近づける。移動台３２の移動によって、ハードディスク
ドライブ装置ＨＤｂの接続口と、コネクタ８ｂの接続口８３が接続され、図７に示される
状態となる。この時点では、図３に示されている固定手段は、ロック状態ではない。移動
台３２を支持部材４ｂの方向へ、さらに押し込み、ロック機構５３の切換位置まで挿脱ロ
ッド５１を押し込む。この状態で、各弾性部材７１、７２、７３、７４は、図８に示され
ているように、カバー６と、支持部材４との間で、最も圧縮された状態となる。
【００３９】
次に、移動台３２を支持部材４ｂに押し付ける力を緩めると、弾性部材７１、７２、７
３、７４の復元力や、スプリング３７１の張力によって、正面側へ押し出され、ロック機
構５３によって挿脱ロッド５１が固定される位置まで押し戻される。図９は、固定位置ま
で移動台３２が押し戻された状態を示すものである。このように、ロック機構５３によっ
て固定された位置では、支持部材４ｂの押接部４２１、４２２は、支持板２２の背面２２
２、２２３から離れた状態となっており、かつ弾性部材７１、７２、７３、７４は圧縮さ
れた状態となっている。
【００４０】
移動台３２は、固定手段５によって、正面側への移動が規制されており、かつ、支持部
材４ｂに支持されているコネクタ８ｂは、弾性部材７１、７２、７３、７４によってハー
ドディスクドライブ装置ＨＤｂへ向けて付勢された状態となる。 
ハードディスクドライブ装置ＨＤのセットが完了した位置が、上記図９の状態であり、
かつ、図１においては、収納体３ａの位置である。
【００４１】
このように、ハードディスクドライブ装置ＨＤにコネクタ８の接続が完了した状態では
、次のような構造上の効果がある。第１に、ハードディスクドライブ装置ＨＤに対して、
弾性部材７１、７２、７３、７４の復元力により、コネクタ８は常時押し付けられた状態
となるため、振動などによって、コネクタ８がハードディスクドライブ装置ＨＤから外れ
るというトラブルは防止される。
【００４２】
また、ハードディスクドライブ装置が駆動する際の振動は、コネクタ８を介して支持部
材４に伝わるが、支持部材４の押接部４２１、４２２と支持板２２とは、接触していない
ので、支持板２２に振動は伝わらない。また、カバー６と押接部４２１、４２２との間は
、弾性部材７１、７２、７３、７４が介挿されているので、振動の伝達も抑制される。ま
た、移動台３２の緩衝部材３６、３６によって、移動台３２からガイドレール３１、３１
への振動の伝達も抑制される。
【００４３】
ハードディスクドライブ装置ＨＤの移動方向は、ガイドレール３１、３１によって、ガ
イドレール３１、３１の設置方向（正面から背面へ向かう方向）にのみ自由度を有し、他
の方向（上下方向、左右方向）への動きは規制される。このため、ハードディスクドライ
ブ装置ＨＤをコネクタ８に接続するための力を１方向にのみ作用させることが容易となる
とともに、オスとメスの接続端子の位置合わせをする煩わしさが解消され、接続作業の能
率が向上する。
【００４４】
ハードディスクドライブ装置ＨＤをコネクタ８から離脱させる際、離脱方向が上下方向
又は左右方向に偏った場合には、弾性部材７１〜７４の変形によって、コネクタ８の向き
が、離脱方向の偏り合わせて変化するので、端子や接続口の破損や変形を抑制することが
できる。
【００４５】
図１に示されているように、収納体３ａには、ハードディスクドライブ装置ＨＤａの誤
接続を防止するための誤操作防止機構１０が設けられている。この接続装置１を、例えば
、１つの複写元ハードディスクドライブ装置ＨＤａから、複写先ハードディスクドライブ
装置ＨＤｂ、ＨＤｃへコピーするコピー装置に用いた場合、１つのハードディスクドライ
ブ装置ＨＤａから多数のハードディスクドライブ装置に複写するには、収納体３ｂ、３ｃ
にセットされている複写先ハードディスクドライブ装置を交換し、繰り返し複写作業を行
う必要があるが、この場合、作業者が誤って複写元ハードディスクドライブ装置ＨＤａを
交換しないようにするため、誤操作防止機構１０が設けられている。
【００４６】
誤操作防止機構１０は、支点部１０１と、係止部１０２と、アーム１０３とを有してい
る。支点部１０１は、支持板２２の上辺に設けられ、アーム１０３を回動自在に支持して
いる。アーム１０３は、線材を矩形の環状に形成して構成され、基端辺は、支点部１０１
内を挿通し、先端辺は、係止部１０２に係脱自在に構成されている。係止部１０２は、台
座２１の正面側面に設けられ、中央に形成された溝にアーム１０３の先端辺を係止する。
アーム１０３の先端辺を係止した状態では、収納体３ａ内のハードディスクドライブ装置
３ａは交換することはできない。交換する際には、アーム１０３を上方に開いてハードデ
ィスクドライブ装置ＨＤａを交換する。
【００４７】
この実施形態における接続口は、エッジタイプの端子であり、図６に示されているよう
に、樹脂製のプレート上に複数の端子が貼り付けられられた構成となっているが、その他
、ピン方式のものであってもよい。 
記憶装置は、ハードディスクドライブ装置の他、回転する記録媒体と、その記録媒体を
回転駆動させる装置を有するものが含まれる。例えば、ＭＯドライブ装置、ＣＤ−ＲＯＭ
ドライブ装置、ＤＶＤドライブ装置、フレキシブルディスクドライブ装置などが上げられる
。その他、例えば、ＰＣカードの様に、駆動装置を備えない記憶装置であっても良い。
【００４８】
以上説明した実施形態は、ハードディスクドライブ装置の収納体側が移動する構成であ
るが、この他、ハードディスクドライブ装置の収納体は固定され、支持部材を支持する支
持板が、移動する構成とすることもできる。この場合には、収納体毎に支持板をそれぞれ
別個に設け、それぞれの支持板が基台２上をガイドレールで移動する構成とすることがで
きる。
【図面の簡単な説明】
【００４９】
【図１】本発明の記憶装置の接続装置を示す全体斜視図である。
【図２】ガイドレールの構成を示す、本発明の接続装置の部分拡大正面図である。
【図３】固定手段の全体斜視図である。
【図４】付勢支持機構の分解斜視図である。
【図５】付勢支持機構の全体斜視図である。
【図６】コネクタを保持している支持部材の正面斜視図である。
【図７】付勢支持機構の断面側面図である。
【図８】付勢支持機構の断面側面図である。
【図９】付勢支持機構の断面側面図である。
【符号の説明】
【００５０】
１  接続装置
２  基台
２１  台座
２１１  上面
２２  支持板
２２１  窓
３  収納体
３１  ガイドレール
３１１  外レール
３１２  内レール
３２  移動台
３３  当接部材
３４  背面部材
３４１  切り欠き
３５  側板
３５１  凹部
３６  緩衝部材
３７  連結部材
４  支持部材
４１  支持部
４１１  支持孔
４１２  切欠部5
４２１、４２２  押接部
４３  隙間
５  固定手段
５１  挿脱ロッド
５１１  係合部
５２  フック
５２１  溝
５３  ロック機構
５３１  進退部材
６  カバー
６２１、６２２  保持部
６３  開口部
６４１、６４２  取付部
８  コネクタ
８２  突起
８３  接続口
８４  段部
７１〜７４  弾性部材
９  付勢支持機構
１０１  支点部
１０２  係止部
１０３  アーム
【図１】
2005129177.tif 000003
【図２】
2005129177.tif 000004
【図３】
2005129177.tif 000005
【図４】
2005129177.tif 000006
【図５】
2005129177.tif 000007
【図６】
2005129177.tif 000008
【図７】
2005129177.tif 000009
【図８】
2005129177.tif 000010
【図９】
2005129177.tif 000011